(57)【特許請求の範囲】
【請求項１】
集積部に紙葉類を集積する紙葉類処理装置であって、
前記集積部は、
上下方向に移動可能なステージと、
前記ステージ上に集積された紙葉類を抜き取る方向に形成された開口と、
上下方向の複数の位置で、前記ステージ上に集積された紙葉類を前記開口へ向けて押し出す押出部材と
を備えることを特徴とする紙葉類処理装置。
【請求項２】
前記押出部材は、前記ステージが移動可能な最上位位置から最下位位置の間の任意の位置で、前記開口へ向けて紙葉類を押し出すことを特徴とする請求項１に記載の紙葉類処理装置。
【請求項３】
前記ステージは、前記ステージ上に集積された紙葉類の集積状態に応じて上下方向に移動して、
前記押出部材は、前記ステージが移動した上下方向の位置で、前記開口へ向けて前記紙葉類を押し出す
ことを特徴とする請求項１又は２に記載の紙葉類処理装置。
【請求項４】
前記ステージは、前記ステージ上に集積された紙葉類の集積枚数に応じて上下方向に移動することを特徴とする請求項３に記載の紙葉類処理装置。
【請求項５】
前記押出部材は、前記ステージ上に集積された紙葉類が所定条件を満たした場合に、該所定条件を満たした上下方向の位置に応じて、上下方向の異なる位置で前記開口へ向けて前記紙葉類を押し出すことを特徴とする請求項１又は２に記載の紙葉類処理装置。
【請求項６】
前記押出部材は、前記ステージ上に集積された紙葉類の枚数が所定枚数に達した場合に、前記所定条件を満たしたものとすることを特徴とする請求項５に記載の紙葉類処理装置。
【請求項７】
前記押出部材は、前記ステージ上への紙葉類の集積を終了した場合に、前記所定条件を満たしたものとすることを特徴とする請求項５又は６に記載の紙葉類処理装置。
【請求項８】
前記押出部材は、紙葉類を集積する集積位置から押出位置に移動して前記紙葉類を押し出した後、前記押出位置から前記集積位置へ戻るタイミングを、前記ステージ上に集積された紙葉類の集積状態に応じて変更することを特徴とする請求項１又は２に記載の紙葉類処理装置。
【請求項９】
前記押出部材は、前記ステージ上に集積された紙葉類の集積枚数に応じて、前記タイミングを変更することを特徴とする請求項８に記載の紙葉類処理装置。
【請求項１０】
前記集積部に集積された紙葉類の抜き取りを検知する検知部
をさらに備え、
前記押出部材は、
前記ステージ上に集積された紙葉類の枚数が所定枚数以下の場合には、該紙葉類を押し出した後、直ちに前記集積位置へ戻り、
前記ステージ上に集積された紙葉類の枚数が所定枚数を越える場合には、該紙葉類を押し出した後、前記検知部で前記紙葉類の抜き取りを検知してから前記集積位置へ戻る
ことを特徴とする請求項９に記載の紙葉類処理装置。
【請求項１１】
前記ステージは、上下方向に移動する前面側ステージを有し、
前記押出部材は、紙葉類を集積する間は、前記前面側ステージに集積された紙葉類から離れた背面側の位置にあって、集積された紙葉類を押し出す際には、前記前面側ステージに向かって前方へ移動する
ことを特徴とする請求項１〜１０のいずれか１項に記載の紙葉類処理装置。
【請求項１２】
前記押出部材の押出面が、前記開口に対向する領域を含む形状を有することを特徴とする請求項１１に記載の紙葉類処理装置。
【請求項１３】
前記ステージは、さらに、
前記前面側ステージと前記押出部材との間に配置され、前記前面側ステージと共に上下方向に移動可能かつ前記押出部材と共に前後方向に移動可能に設けられた背面側ステージ
を有することを特徴とする請求項１１又は１２に記載の紙葉類処理装置。
【請求項１４】
前記背面側ステージは、前記前面側ステージの下方に配置されることを特徴とする請求項１３に記載の紙葉類処理装置。
【請求項１５】
開口を有する集積部に紙葉類を集積する紙葉類処理装置であって、
前記集積部は、
集積部内で上下方向に移動可能に設けられた前面側ステージと、
前記前面側ステージの後端と該後端から後方に離れた位置との間で、前記前面側ステージから独立して前後方向に移動可能に設けられ、前記前面側ステージ上に紙葉類が集積される間は該紙葉類より後方の集積位置にあって、前記前面側ステージ上に集積された紙葉類を押し出す際には、前記集積位置より前方の押出位置へ移動して前記紙葉類を押し出す押出部材と
を備えることを特徴とする紙葉類処理装置。
【請求項１６】
前記前面側ステージと前記押出部材との間に配置された背面側ステージ
をさらに備え、
前記背面側ステージは、
上下方向には、前記押出部材から独立して、前記前面側ステージと共に移動して、
前後方向には、前記前面側ステージから独立して、前記押出部材と共に移動する
ことを特徴とする請求項１５に記載の紙葉類処理装置。
【発明の詳細な説明】
【技術分野】
【０００１】
この発明は、内部に集積された紙葉類を開口から抜き取り可能な集積部を有する紙葉類処理装置に関する。
【背景技術】
【０００２】
従来、金融機関では、紙幣を識別計数する紙幣処理装置が利用されている。例えば、金融機関の窓口業務では、複数枚の紙幣を識別計数し、複数の集積部に種類別に分類して集積する整理機や計数機と呼ばれる紙幣処理装置が利用されている。このような紙幣処理装置では、各集積部が装置前面側に開口を有し、それぞれの集積部内に集積された紙幣を開口から抜き取ることができる。また、紙幣処理装置の中には、集積部内に分類集積された紙幣の抜き取りを容易に行えるように、集積部内の紙幣を装置前方の開口側へ押し出す機構を有するものがある。
【０００３】
例えば、特許文献１には、集積部内で移動するステージが開示されている。このステージは、紙幣集積時には集積量に応じて昇降移動して、紙幣抜取時には、集積部下方の所定位置へ戻ってから開口側へスライド移動する。
【先行技術文献】
【特許文献】
【０００４】
【特許文献１】中国特許出願公開第１０３１３６８５３号明細書
【発明の概要】
【発明が解決しようとする課題】
【０００５】
しかしながら、上記従来技術によれば、ステージ上に紙幣を集積した後、ステージが集積部下方の所定位置へ移動してから開口側へスライド移動するため、紙幣の集積を終えてから紙幣が前方へ出てくるまでに時間がかかり処理効率が悪い。
【０００６】
昇降可能なステージを利用することにより、ステージを上昇させて、集積部の上部側から送り込まれる紙幣を受け取ることができるので、多くの紙幣を集積できるように集積部を上下方向に大きくすることも可能であるが、集積部を大きくするほど、集積開始時に紙幣を受け取る一番上の位置から、紙幣を開口側へ押し出す集積部下方位置迄の距離が離れ、紙幣の集積を終えてから前方へ出てくるまでに時間がかかってしまう。また、集積部内に手を入れて紙幣を掴もうとした際に危険がないようにかつステージが移動する際に集積紙幣が崩れないようにするために、ステージの移動速度を高速にするには限界がある。
【０００７】
本発明は、上述した従来技術による問題点を解消するためになされたもので、多くの紙葉類を集積可能な集積部で、集積された紙葉類を効率よく開口側へ押し出すことができる紙葉類処理装置を提供することを目的とする。
【課題を解決するための手段】
【０００８】
上述した課題を解決し、目的を達成するため、本発明は、集積部に紙葉類を集積する紙葉類処理装置であって、前記集積部は、上下方向に移動可能なステージと、前記ステージ上に集積された紙葉類を抜き取る方向に形成された開口と、上下方向の複数の位置で、前記ステージ上に集積された紙葉類を前記開口へ向けて押し出す押出部材とを備えることを特徴とする。
【０００９】
また、本発明は、上記発明において、前記押出部材は、前記ステージが移動可能な最上位位置から最下位位置の間の任意の位置で、前記開口へ向けて紙葉類を押し出すことを特徴とする。
【００１０】
また、本発明は、上記発明において、前記ステージは、前記ステージ上に集積された紙葉類の集積状態に応じて上下方向に移動して、前記押出部材は、前記ステージが移動した上下方向の位置で、前記開口へ向けて前記紙葉類を押し出すことを特徴とする。
【００１１】
また、本発明は、上記発明において、前記ステージは、前記ステージ上に集積された紙葉類の集積枚数に応じて上下方向に移動することを特徴とする。
【００１２】
また、本発明は、上記発明において、前記押出部材は、前記ステージ上に集積された紙葉類が所定条件を満たした場合に、該所定条件を満たした上下方向の位置に応じて、上下方向の異なる位置で前記開口へ向けて前記紙葉類を押し出すことを特徴とする。
【００１３】
また、本発明は、上記発明において、前記押出部材は、前記ステージ上に集積された紙葉類の枚数が所定枚数に達した場合に、前記所定条件を満たしたものとすることを特徴とする。
【００１４】
また、本発明は、上記発明において、前記押出部材は、前記ステージ上への紙葉類の集積を終了した場合に、前記所定条件を満たしたものとすることを特徴とする。
【００１５】
また、本発明は、上記発明において、前記押出部材は、紙葉類を集積する集積位置から押出位置に移動して前記紙葉類を押し出した後、前記押出位置から前記集積位置へ戻るタイミングを、前記ステージ上に集積された紙葉類の集積状態に応じて変更することを特徴とする。
【００１６】
また、本発明は、上記発明において、前記押出部材は、前記ステージ上に集積された紙葉類の集積枚数に応じて、前記タイミングを変更することを特徴とする。
【００１７】
また、本発明は、上記発明において、前記集積部に集積された紙葉類の抜き取りを検知する検知部をさらに備え、前記押出部材は、前記ステージ上に集積された紙葉類の枚数が所定枚数以下の場合には、該紙葉類を押し出した後、直ちに前記集積位置へ戻り、前記ステージ上に集積された紙葉類の枚数が所定枚数を越える場合には、該紙葉類を押し出した後、前記検知部で前記紙葉類の抜き取りを検知してから前記集積位置へ戻ることを特徴とする。
【００１８】
また、本発明は、上記発明において、前記ステージは、上下方向に移動する前面側ステージを有し、前記押出部材は、紙葉類を集積する間は、前記前面側ステージに集積された紙葉類から離れた背面側の位置にあって、集積された紙葉類を押し出す際には、前記前面側ステージに向かって前方へ移動することを特徴とする。
【００１９】
また、本発明は、上記発明において、前記押出部材の押出面が、前記開口に対向する領域を含む形状を有することを特徴とする。
【００２０】
また、本発明は、上記発明において、前記ステージは、さらに、前記前面側ステージと前記押出部材との間に配置され、前記前面側ステージと共に上下方向に移動可能かつ前記押出部材と共に前後方向に移動可能に設けられた背面側ステージを有することを特徴とする。
【００２１】
また、本発明は、上記発明において、前記背面側ステージは、前記前面側ステージの下方に配置されることを特徴とする。
【００２２】
また、本発明は、開口を有する集積部に紙葉類を集積する紙葉類処理装置であって、前記集積部は、集積部内で上下方向に移動可能に設けられた前面側ステージと、前記前面側ステージの後端と該後端から後方に離れた位置との間で、前記前面側ステージから独立して前後方向に移動可能に設けられ、前記前面側ステージ上に紙葉類が集積される間は該紙葉類より後方の集積位置にあって、前記前面側ステージ上に集積された紙葉類を押し出す際には、前記集積位置より前方の押出位置へ移動して前記紙葉類を押し出す押出部材とを備えることを特徴とする。
【００２３】
また、本発明は、上記発明において、前記前面側ステージと前記押出部材との間に配置された背面側ステージをさらに備え、前記背面側ステージは、上下方向には、前記押出部材から独立して、前記前面側ステージと共に移動して、前後方向には、前記前面側ステージから独立して、前記押出部材と共に移動することを特徴とする。
【発明の効果】
【００２４】
本発明に係る紙葉類処理装置では、紙幣を抜き取るための開口を有する集積部内で、上下方向に移動可能なステージ上に紙葉類を集積する。ステージの背面側に配置された押出部材は、ステージの上下方向の位置によらず、前方へ移動して、ステージ上に集積された紙葉類を開口側へ押し出すことができる。紙葉類を押し出すために、ステージを所定位置へ移動させる必要がないので、紙葉類の集積から押し出しまでの処理を効率よく行うことができる。
【００２５】
また、本発明によれば、ステージが、上下方向に移動する前面側ステージと、この前面側ステージと共に上下方向に移動して、かつ、押出部材と共に前後方向に移動する背面側ステージとによって構成されているので、ステージ上への紙葉類の集積、及び集積した紙幣の押し出しを確実に行うことができる。
【図面の簡単な説明】
【００２６】
【図１】図１は、本実施形態に係る紙幣処理装置の集積部内の構造を説明するための模式図である。
【図２】図２は、紙幣ステージ上に集積された紙幣を押出部材によって前方へ押し出した状態を示す側面図である。
【図３】図３は、紙幣ステージ上に集積された紙幣を押出部材によって前方へ押し出した状態を示す平面図である。
【図４】図４は、紙幣ステージ上に集積された紙幣の開口側を押し上げる構造の例を示す模式図である。
【図５】図５は、集積部の正面図である。
【図６】図６は、押出部材が紙幣を集積する集積位置にある集積部の状態を示す斜視図である。
【図７】図７は、紙幣ステージが下方へ移動した集積部の状態を示す斜視図である。
【図８】図８は、押出部材が紙幣ステージ上に集積された紙幣を前方へ押し出した押出位置にある集積部の状態を示す斜視図である。
【図９】図９は、押出部材及び集積部左側壁を背面側から見た斜視図である。
【図１０】図１０は、図５〜図８に示す前面側ステージ及び背面側ステージを上面側から見た斜視図である。
【図１１】図１１は、図５〜図８に示す前面側ステージ及び背面側ステージを裏面側から見た斜視図である。
【図１２】図１２は、押出部材及び紙幣ステージの形状が異なる集積部の例を示す正面図である。
【図１３】図１３は、図１２に示す集積部の紙幣ステージを上方から見た斜視図である。
【発明を実施するための形態】
【００２７】
以下に、添付図面を参照して、本発明に係る紙葉類処理装置について詳細に説明する。紙葉類処理装置は、紙幣、小切手、商品券等、様々な紙葉類を処理対象とすることができるが、以下では、処理対象を紙幣とする紙幣処理装置を例に説明する。この紙幣処理装置は、受入口に受けた複数の紙幣を１枚ずつ装置内の搬送路に繰り出して搬送し、識別部によって金種、真偽、正損（傷み具合）等を識別して計数した後、装置前方側から紙幣を抜き取るための開口を有する複数の集積部に、紙幣を種類別に分類して集積するが、このような紙幣処理装置は従来利用されているため、紙幣処理装置の構造及び動作については説明を省略して、集積部の構造について説明する。
【００２８】
図１は、本実施形態に係る紙幣処理装置の集積部内の構造を説明するための模式図である。図１（ａ）は集積部内を上方から見た図であり、同図（ｂ）は側方から見た図である。なお、本実施形態に示す図面では、Ｘ軸正方向側が紙幣処理装置の前面側（前方）、Ｘ軸負方向側が紙幣処理装置の背面側（後方）に相当し、紙幣処理装置を装置前面側から利用する利用者は、集積部のＸ軸正方向側に設けられた開口から、集積部内の紙幣を抜き取ることになる。また、Ｙ軸正方向側が紙幣処理装置を前面側から見て右側、Ｙ軸負方向側が左側に相当し、Ｚ軸正方向側が装置上方、Ｚ軸負方向側が装置下方に相当する。本実施形態に示す図面では、図１に矢印で示すように、Ｙ軸正方向側かつＺ軸上方側、すなわち装置前面側の利用者から見て右上から、紙幣処理装置内の搬送路を搬送されてきた紙幣が集積部内に送り込まれて集積される例を示している。
【００２９】
図１（ａ）に示すように、集積部内には、前面側ステージ２０と、背面側ステージ３０と、押出部材１０とが設けられている。集積部内では、紙幣処理装置に固定されている集積部左側壁４０と集積部右側壁４１との間で、前面側ステージ２０及び背面側ステージ３０の上に紙幣が集積される。前面側ステージ２０及び背面側ステージ３０によって形成されるステージを、以下では単に「紙幣ステージ」と記載する。
【００３０】
押出部材１０は、上方から見た形状が、装置左側の左側壁部と装置背面側の背面壁部（背面部）とを接続した逆Ｌ字型に形成されている。左側壁部の内側面（右側面）には上下方向に長いガイド溝１０ａが形成され、背面壁部の内側面（前面）にも同様に上下方向に長いガイド溝１０ｂが形成されている。押出部材１０は、集積部左側壁４０と集積部右側壁４１との間で、背面壁部の左右方向の移動が規制され、集積部左側壁４０と、前面側ステージ２０及び背面側ステージ３０との間で、左側壁部の左右方向の移動が規制されている。一方、前面側ステージ２０と集積部左側壁４０との間には、押出部材１０の左側壁部が前方へ移動可能な隙間が設けられており、押出部材１０は、前後方向にスライド移動できるようになっている。押出部材１０は背面側ステージ３０と共に移動するがこれについては後述する。
【００３１】
押出部材１０背面壁部の前面が、紙幣を押し出す押出面として機能し、押出部材１０が前方へ移動する際には、紙幣ステージ上に集積された紙幣の背面側縁部を押出面によって押しながら移動する。押出面は、例えば、紙幣を抜き取るための集積部の開口に対向する領域を含む形状を有している。言い換えれば、装置前面側から見て、開口より大きくなるように押出面が形成されている。具体的には、例えば、集積部の開口は、図１（ａ）に示す前面側ステージ２０の左右幅より狭くかつ同図（ｂ）に示す押出部材１０の高さより低く形成されており、開口よりも押出面の方が幅が広くかつ高さが高くなっている。
【００３２】
前面側ステージ２０は、略矩形の薄板形状を有し、紙幣ステージに集積された紙幣を上下から掴みやすいように、装置前面側の一部がコの字型に切り欠かれている。また、前面側ステージ２０には、紙幣集積面から外れた右外側の位置に、上下に貫通する貫通孔を有する支持部２０ａが形成されている。集積部右側壁４１には、支持部２０ａに対応して上下方向に長い溝が形成されており、この溝内を支持部２０ａが上下方向に移動できるようになっている。支持部２０ａの貫通孔を貫通する丸棒形状のスライド軸４２が紙幣処理装置に固定されており、スライド軸４２によって支持された前面側ステージ２０は、スライド軸４２に沿って上下方向（Ｚ軸方向）にスライド移動できるようになっている。
【００３３】
前面側ステージ２０の裏面にはボス２０ｂが形成されている。また、前面側ステージ２０の右側面には、紙幣集積面の外側に突出したガイド部２０ｃが形成されている。そして、集積部右側壁４１には、ガイド部２０ｃに対応して上下方向に長いガイド溝が形成されている。ガイド部２０ｃが、集積部右側壁４１のガイド溝内を上下に移動することによって、前面側ステージ２０の上下方向のスライド移動をガイドする。
【００３４】
一方、このガイド部２０ｃ及びガイド溝と、支持部２０ａの貫通孔及びスライド軸４２とによって、前面側ステージ２０は、前後方向には移動しないようになっている。また、前面側ステージ２０は、押出部材１０の左側壁部と、集積部右側壁４１との間で、左右方向には移動しないようになっている。すなわち、前面側ステージ２０は、前後方向の位置が固定され上下方向にのみ移動する。
【００３５】
背面側ステージ３０は、略矩形の薄板形状を有し、前面側の一部領域と、前面側ステージ２０の背面側一部領域とが重なる位置で、前面側ステージ２０の下方に配置されている。背面側ステージ３０の左側面及び背面側側面（背面）には、押出部材１０のガイド溝１０ａ、１０ｂに対応する位置に、紙幣集積面の外側に突出したガイド部３０ａ、３０ｂが形成されている。これらのガイド部３０ａ、３０ｂが、押出部材１０のガイド溝１０ａ、１０ｂ内を上下に移動することによって、背面側ステージ３０の押出部材１０に対する上下方向のスライド移動をガイドする。
【００３６】
背面側ステージ３０には、前面側ステージ２０のボス２０ｂに対応する位置に、ガイド孔３０ｃとして、前後方向に細長い貫通孔が形成されている。図１（ｂ）に示すように、背面側ステージ３０のガイド孔３０ｃを貫通させた前面側ステージ２０のボス２０ｂに、ガイド孔３０ｃの左右幅より外径の大きいワッシャを取り付けることにより、前面側ステージ２０が上下方向に移動すると、これに伴って背面側ステージ３０も上下方向（Ｚ軸方向）に移動するようになっている。このとき、背面側ステージ３０は、押出部材１０のガイド溝１０ａ、１０ｂ内で、ガイド部３０ａ、３０ｂをスライドさせながら移動し、押出部材１０は上下方向には移動しない。すなわち、上下方向の移動については、背面側ステージ３０は、押出部材１０から独立して、前面側ステージ２０と共に移動する。
【００３７】
背面側ステージ３０左側面のガイド部３０ａと、押出部材１０左側壁部のガイド溝１０ａとによって、押出部材１０に対する背面側ステージ３０の前後方向（Ｘ軸方向）の移動が規制され、押出部材１０が前後方向に移動すると、これに伴って背面側ステージ３０も前後方向（Ｘ軸方向）に移動するようになっている。このとき、背面側ステージ３０は、前面側ステージ２０に固定されたボス２０ｂに対して、ガイド孔３０ｃを移動させながら前後方向に移動し、前面側ステージ２０は移動しない。すなわち、前後方向の移動については、背面側ステージ３０は、前面側ステージ２０から独立して、押出部材１０と共に移動する。
【００３８】
なお、図１では、前面側ステージ２０及び背面側ステージ３０が、略水平に支持されている例を示しているが、支持方法がこれに限定されるものではない。例えば、右側から紙幣が集積される場合には、紙幣集積面が左側を高く傾斜するように、紙幣集積面を形成する前面側ステージ２０及び背面側ステージ３０を傾斜させた状態で支持する態様であっても構わない。
【００３９】
押出部材１０の前後方向のスライド移動は、モータ等の駆動装置によって制御される。同様に、前面側ステージ２０の上下方向のスライド移動もモータ等の駆動装置によって制御される。一方、背面側ステージ３０は、上下方向には、前面側ステージ２０の移動に伴って強制移動されて、前後方向には、押出部材１０の移動に伴って強制移動される。
【００４０】
前面側ステージ２０の上下方向の位置（高さ）を制御することにより、紙幣の集積を開始する際には、紙幣ステージを上方の所定位置に移動させて、搬送路から集積部内に排出される紙幣を受けて、紙幣ステージ上に集積することができる。そして、紙幣が集積されるにつれて、集積枚数に応じて紙幣ステージを徐々に下方へ移動させることができる。また、押出部材１０の前後方向の位置を制御することにより、紙幣を集積する間は紙幣に接触しないように押出部材１０を後方へ退避させて、集積部への紙幣の集積を完了すると押出部材１０を前方へ移動させて紙幣を開口側へ押し出すことができる。
【００４１】
紙幣ステージが一番上にある最上位位置と、一番下にある最下位位置との間の任意の位置で、前後方向の位置が固定された前面側ステージ２０に対して、押出部材１０及び背面側ステージ３０を前後方向に移動させることができるので、集積された紙幣を前方へ押し出すために紙幣ステージを所定位置へ移動させる必要がない。これにより、紙幣の集積を終えた後、この紙幣をすぐに押し出すことが可能であり、効率よく紙幣処理を行うことができる。
【００４２】
このように、紙幣処理装置の集積部内に、上下移動可能な前面側ステージ２０と、この前面側ステージ２０の後端（背面側縁部）と該後端から後方（背面側）に離れた位置との間で前後方向に移動可能な押出部材１０とを設けて、紙幣を集積する間は、押出部材１０が、前面側ステージ２０に集積された紙幣の後端（背面側縁部）よりさらに後方にあって、前面側ステージ２０に集積された紙幣を押し出す際には、押出部材１０が、紙幣後端を押しながら前面側ステージ２０の後端に向かって前方へ移動する。すなわち、押出部材１０は、上下移動する前面側ステージ２０より背面側で、前面側ステージから独立して自由に前後方向に移動することができる。
【００４３】
また、前面側ステージ２０の後端と押出部材１０の間の隙間を埋めるように配置した背面側ステージ３０は、押出部材１０から独立して前面側ステージ２０と共に上下方向に移動し、前面側ステージ２０から独立して押出部材１０と共に前後方向に移動する。これにより、前面側ステージ２０と押出部材１０との間に紙幣が入り込むことがなく、紙幣ステージ上に紙幣を集積して押し出す処理を確実に行えるようになっている。
【００４４】
図２は、紙幣ステージ上に集積された紙幣を押出部材１０によって前方へ押し出した状態を示す側面図である。例えば、図１（ｂ）に示すように、集積部の底面から前面側ステージ２０の上面迄の高さがＨ１となる上下方向の位置を集積高さとして、前面側ステージ２０の上面が、この集積高さＨ１にある状態で、搬送路から集積部へ送り込まれた最初の紙幣を紙幣ステージ上に受けた後、集積枚数が増えるに連れて、一番上に集積される紙幣が集積高さＨ１となるように紙幣ステージを徐々に下降させる。
【００４５】
そして、紙幣１００ａの集積を終えた所で、図２（ａ）に矢印で示すように押出部材１０及び背面側ステージ３０が前方へ移動して、紙幣１００ａを開口側へ押し出す。この結果、集積部底面から、集積された紙幣１００ａの一番上にある最上位紙幣迄の高さがＨ１、一番下にある最下位紙幣迄の高さがＨ２の状態で、紙幣が押し出される。なお、図２に示す破線は、紙幣集積時の押出部材１０の背面位置であり、紙幣の押出時に、押出部材１０が破線で示す位置から図２に示す位置まで移動したことを示している。
【００４６】
紙幣処理装置では、紙幣の集積枚数が図２（ａ）に比べて多い場合でも、同図（ｂ）に示すように、紙幣ステージが集積枚数に応じて下降した位置で、紙幣１００ａを押し出すよう制御することができる。この結果、集積部底面から、集積された紙幣１００ａの一番上にある最上位紙幣迄の高さがＨ１、一番下にある最下位紙幣迄の高さがＨ３（Ｈ３＜Ｈ２）の状態で、紙幣を押し出すことができる。
【００４７】
このように、紙幣処理装置では、集積部に集積された紙幣の集積枚数に応じて紙幣ステージの高さを変更し、紙幣集積を終えた各位置で、紙幣を開口側へ押し出すことができるので、紙幣集積を終えてすぐに紙幣を押し出すことができる。
【００４８】
なお、図２では、集積枚数によらず、最上位紙幣の上下方向の位置が同じになる位置で紙幣を押し出す例を示したが、紙幣を押し出す際の紙幣ステージの位置は、設定により変更することができる。
【００４９】
例えば、集積枚数によらず、最下位紙幣の高さが常に同じ高さとなるように、すなわち紙幣ステージの上下方向の位置が常に同じ位置となるように、紙幣ステージを所定位置まで移動させてから紙幣を押し出すように設定することも可能である。また、例えば、紙幣を押し出す際の紙幣ステージの位置を、紙幣処理装置の利用者の目線や好みに応じて、利用者が紙幣を抜き取りやすい高さに合わせて設定することも可能である。
【００５０】
図３は、紙幣ステージ上に集積された紙幣を押出部材１０によって前方へ押し出した状態を示す平面図である。図３（ｂ）は、同図（ａ）に示す紙幣１００ｂに比べて、長手方向、すなわち装置前後方向（Ｘ軸方向）の長さが短い紙幣１００ｃを集積した場合を示している。なお、図３に示す破線は、紙幣集積時の押出部材１０の背面位置であり、紙幣の押出時に、押出部材１０が破線で示す位置から図３に示す位置まで移動したことを示している。
【００５１】
例えば、紙幣の集積を終えた所で、図３（ａ）に矢印で示すように押出部材１０及び背面側ステージ３０が距離Ｄ２だけ前方へ移動して、紙幣１００ｂを開口側へ押し出す。この結果、紙幣１００ｂは、前端（開口側先端）が、破線で示した紙幣集積時の押出部材１０の背面位置からの距離がＤ１となる位置まで押し出される。
【００５２】
図３（ｂ）に示すように、集積された紙幣１００ｃの長手方向の長さが短い場合には、押出部材１０及び背面側ステージ３０が、同図（ａ）に比べて長い距離Ｄ３（Ｄ３＞Ｄ２）移動して、紙幣１００ｃの前端が、同図（ａ）と同じく、紙幣集積時の押出部材１０の背面位置からの距離がＤ１となる位置まで押し出される。
【００５３】
このように、紙幣処理装置では、集積部に集積された紙幣の長手方向、すなわち紙幣を押し出す押出方向の長さに応じて、押出部材１０の移動距離（押出量）を変更して、紙幣の前端が常に同じ位置となるように押し出すことができる。ただし、紙幣の押出量は設定により変更することができる。例えば、紙幣の大きさによらず、常に同じ押出量とすることもできる。また、押出量についても、紙幣ステージと同様に、紙幣処理装置の利用者が紙幣を抜き取りやすい位置に合わせて設定することができる。
【００５４】
紙幣ステージ上に紙幣を集積した状態で押出部材１０及び背面側ステージ３０を移動させて紙幣を前方へ押し出した際に、集積された紙幣が崩れて開口から前方へ飛び出すことがないように、前面側ステージ２０を、紙幣の前方を押し上げる形状としてもよい。図４は、ステージ上に集積された紙幣の開口側を押し上げる構造の例を示す模式図である。図４（ａ）に示すように、前面側ステージ２０の前端に紙幣を支持する突起５０を形成する。突起５０は、側面から見た形状が、後端が前面側ステージ２０と同一平面にあり、先端に向けて徐々に高さが高くなる形状を有している。
【００５５】
図４（ａ）に示すように、紙幣ステージ上に紙幣１００ｄを集積した後、同図（ｂ）に示すように押出部材１０及び背面側ステージ３０を移動させて紙幣１００ｄを前方へ押し出すと、紙幣１００ｄの前端が、突起５０の上面に沿って徐々に上方へ押し上げられる。このように、押出時に紙幣１００ｄの前端側を持ち上げた状態とすることで、紙幣１００ｄが開口側へ崩れたり開口から飛び出したりすることを防止することができる。また、前端側を持ち上げられた紙幣１００ｄに背面側へ戻そうとする力が作用しても、紙幣１００ｄの後端を押出部材１０によって支持することにより紙幣１００ｄが背面側へ崩れることを防止することができる。
【００５６】
なお、左右方向についても紙幣を安定した集積状態とするために、さらに、突起５０の形状を、装置前方から見たときに内側ほど低くなる形状としてもよい。これにより、紙幣ステージ上に集積された紙幣を装置前方から見たときに紙幣の左右両端が持ち上げられた状態にして、左右方向でも紙幣の集積状態が崩れにくいように支持することができる。この他、集積部及び紙幣ステージの構造に応じて、紙幣を安定した集積状態とすることができれば、前方から見たときに、紙幣の左端と右端とで押し上げられた高さが異なるように、前方から見た突起５０の形状を左右非対称にしてもよい。例えば、紙幣ステージ上に集積された紙幣を前方から見たときに、紙幣の左側又は右側の一方側を持ち上げて他方側に寄せた支持状態とすることによって紙幣の集積状態が安定する場合には、この支持状態を実現するように突起５０の形状を左右非対称にする。
【００５７】
押出部材１０及び背面側ステージ３０は、紙幣を集積する際の位置を集積位置、紙幣を押し出した位置を押出位置として、集積位置と押出位置との間で前後方向にスライド移動するが、紙幣を集積した後、集積位置から押出位置への移動を開始するタイミングは、設定により変更することができる。具体的には、紙幣処理が完了したとき、集積部への紙幣の集積を完了したとき、集積部が満杯になって紙幣を集積することができなくなったとき、紙幣処理装置でエラーが発生して集積部に紙幣を集積できなくなったとき等、１つ又は複数の押出開始タイミングを設定することができる。紙幣処理装置では、設定内容に応じて、紙幣ステージ上に集積された紙幣が設定された所定条件を満たす状態になったことを検知して、紙幣の押し出しが行われる。
【００５８】
また、押出位置へ移動した押出部材１０及び背面側ステージ３０が、集積位置へ戻るタイミングについても、設定により変更することができる。例えば、押出部材１０が押出位置に移動して紙幣を押し出した後、すぐに集積位置に戻る設定とする他、押出部材１０が押出位置に移動した後、押し出した紙幣が抜き取られるまでは押出位置にあって、紙幣が抜き取られた後に、集積位置に戻るように設定することができる。なお、紙幣の抜き取りは、集積部に設けられたセンサによって検知できるようになっている。
【００５９】
紙幣処理装置では、各集積部に集積する紙幣の種類を事前に設定する場合や、識別部による識別結果に応じて各集積部に集積する紙幣の種類を設定する場合があるが、いずれの場合も、各集積部に集積されている紙幣のサイズや材質等を特定可能な金種情報、紙幣の傷み具合を特定可能な正損情報、集積部に集積されている紙幣枚数等の情報は、紙幣処理装置内で管理されている。紙幣処理装置では、これらの金種情報、正損情報、集積枚数等の情報の中から１つ又は複数の情報を選択して、選択した情報に基づいて、押出部材１０が押出位置から集積位置へ戻るタイミングの判定条件を設定することができる。
【００６０】
例えば、サイズが小さいために多数枚を集積した際に崩れやすい金種の紙幣は、紙幣が抜き取られるまでの間、押出位置にある押出部材１０によって紙幣を支持して、紙幣が抜き取られた後に押出部材１０を集積位置へ戻すように設定する。また、サイズが大きく多数枚を集積しても崩れにくい金種の紙幣は、押出部材１０が、紙幣を押し出した後すぐに集積位置に戻るように設定する。このとき、サイズが小さい金種の紙幣については、さらに、集積枚数が所定枚数以下であれば、押出部材１０が、紙幣を押し出した後すぐに集積位置へ戻るように設定することもできる。同様に、紙幣の材質、傷み具合、紙幣の集積枚数等に応じて、崩れやすい状態にある紙幣を押し出す際には、紙幣が抜き取られるまでの間、押出位置にある押出部材１０によって紙幣を支持して、紙幣が抜き取られた後に押出部材１０を集積位置へ戻すように設定して、崩れにくい紙幣を押し出す際には、紙幣の抜き取りを待たずに、すぐに押出部材１０を集積位置へ戻すように設定することができる。
【００６１】
また、この他、紙幣の金種情報、正損情報、集積枚数等の情報を紙幣ステージの上下方向の位置調整に利用することもできる。具体的には、例えば、紙幣集積時には、金種情報に基づいて、紙幣の厚み及び集積枚数に応じて紙幣ステージの上下方向の位置を調整する。また、例えば、紙幣の正損情報に基づいて、損傷の激しい紙幣を押し出す際には、通常よりも紙幣ステージを下降させた位置で紙幣押出を行う。紙幣の損傷が激しいと、押出時に集積部内の凹凸や羽根車等に引っ掛かりやすく、紙幣がカールした状態で集積されている場合もあるため、集積部上部の羽根車からの距離を離し、集積紙幣の上方空間を広くして、紙幣を確実に押し出せるようにするものである。
【００６２】
次に、集積部の具体的な構造の例を、図５〜図１３を参照しながら説明する。なお、以下では、図１〜図４に示した構成部と同じ構成部には、同じ符号を付して説明を省略し、具体的な構造の説明に必要な内容を記載する。
【００６３】
図５は、集積部を示す正面図である。紙幣処理装置内の搬送路を搬送された紙幣は、矢印で示すように、右上から集積部内へ排出される。そして、回転する羽根車の複数枚の羽根の間に１枚ずつ送り込まれた紙幣は、反時計回りに回転する羽根車の回転に伴って紙幣ステージ上へ集積される。
【００６４】
図５では、羽根車が回転するときに羽根の先端が通過する領域５１の一部を一点鎖線で示している。押出部材１０の押出面は、羽根車側の外縁部が、羽根の先端が通過する領域５１内にある。言い換えれば、押出部材１０及び羽根車は、前面側から見た際に、押出面の羽根車側外縁部が、羽根車の羽根の先端よりも回転軸側に位置するように配置されている。これにより、羽根車によって紙幣を集積する際に、紙幣が押出面の外縁部に引っ掛かって停止することがなく、紙幣を確実に集積することができる。また、押出面で紙幣を押し出す際に、紙幣が押出面外縁部より外側にはみ出すことがなく、紙幣を確実に押し出せるようになっている。
【００６５】
押出部材１０は、背面側の背面部１０ｃと、左側の左側壁部１０ｄとによって形成されている。背面部１０ｃの上面及び右側面は、前後方向に長い薄板を接続して形成されている（図９参照）。上面には前後方向に長いガイド溝が形成されており（図６参照）、このガイド溝に対応して、紙幣処理装置に固定されている集積部背面壁４６に回転可能に軸支されたローラ４４が設けられている。押出部材１０が前後方向にスライド移動する際には、ガイド部材として機能するローラ４４と、背面部１０ｃ上面に形成されたガイド溝とによって、押出部材１０の移動をガイドするようになっている。
【００６６】
また、背面部１０ｃの右側面外側には、前後方向に長い断面三角形状の突起１０ｇが複数形成されており（図７参照）、各突起１０ｇと噛み合うように、集積部右側壁４１の対応する位置に、前後方向に長い溝４１ａが形成されている。これらの突起１０ｇと溝４１ａとによって、押出部材１０が前後方向にスライド移動する際に移動をガイドすると共に、押出部材１０の右側面と集積部右側壁４１との間の隙間に紙幣が入り込むことを防止している。
【００６７】
図５に示すように、押出部材１０の左側壁部１０ｄは、前方から見て垂直方向（上下方向）に長い垂直部と、垂直部の下側に接続されて右側へ行くにつれて位置が低くなるように傾斜した傾斜部とによって形成されている。集積部左側壁４０も、押出部材１０の左側壁部１０ｄに対応して、垂直部と傾斜部とによって形成されている。
【００６８】
集積部左側壁４０の上部には前後方向に長い断面凸形状のガイド部４０ａが形成され、これに対応して、押出部材１０の左側壁部１０ｄには、垂直部上部の外側面に前後方向に長い断面凹形状のガイド溝が形成されている。押出部材１０が前後方向にスライド移動する際には、集積部左側壁４０のガイド部４０ａと、押出部材１０のガイド溝とによって、押出部材１０の移動をガイドするようになっている。
【００６９】
押出部材１０の左側壁部１０ｄには、垂直部外側面に、前後方向に長い断面三角形状の突起１０ｅが複数形成されており、各突起１０ｅと噛み合うように、集積部左側壁４０の対応する位置に、前後方向に長い溝４０ｂが形成されている。押出部材１０が前後方向にスライド移動する際には、これらの突起１０ｅと溝４０ｂとによって移動をガイドすると共に、押出部材１０の左側壁部１０ｄと、集積部左側壁４０との間の隙間に紙幣が入り込むことを防止している。
【００７０】
押出部材１０の左側壁部１０ｄには、傾斜部の外側（底面側）にも、前後方向に長い断面三角形状の突起１０ｆが複数形成されており、各突起１０ｆと噛み合うように、集積部左側壁４０の傾斜部の対応する位置に、前後方向に長い溝４０ｃが形成されている。これらの突起１０ｆと溝４０ｃとによって、傾斜部においても、押出部材１０の前後方向の移動をガイドすると共に、押出部材１０の左側壁部１０ｄと、集積部左側壁４０との間の隙間に紙幣が入り込むことを防止している。
【００７１】
左側壁部１０ｄの傾斜部裏面（押出部材１０の底面側）には、前後方向に貫通した貫通孔１０ｈが形成されており、丸棒形状のスライド軸４５が各貫通孔１０ｈを貫通した状態で紙幣処理装置に固定されている。押出部材１０は、スライド軸４５に沿って、貫通孔１０ｈをスライドさせながら、前後方向にスライド移動するようになっている（図９参照）。
【００７２】
前面側ステージ２０及び背面側ステージ３０は、左側に比べて右側が低い傾斜状態で支持されており、傾斜状態のまま上下方向にスライド移動するようになっている。押出部材１０の左側壁部１０ｄの傾斜部、及び集積部左側壁４０の傾斜部は、紙幣ステージの傾斜角度に合わせた傾斜角度で形成されている。
【００７３】
背面側ステージ３０の裏面右側には、前後方向に貫通した貫通孔３０ｅを有するリブが形成されており、前面側ステージ２０の裏面右側で、丸棒形状のスライド軸４３が、背面側ステージ３０の各貫通孔３０ｅを貫通した状態で前面側ステージ２０に固定されている（図１１参照）。背面側ステージ３０は、スライド軸４３に沿って、裏面リブの貫通孔３０ｅをスライドさせながら、前面側ステージ２０に対して前後方向にスライド移動するようになっている。
【００７４】
図６は、押出部材１０が紙幣を集積する集積位置にある集積部の状態を示す斜視図である。なお、図６〜図８では、紙幣ステージの状態を理解しやすいように、図面手前側となる位置に設けられている支持部２０ａ等を省略している。
【００７５】
図５及び図６に示すように、紙幣処理装置に固定されている集積部左側壁４０、集積部右側壁４１、及び集積部背面壁４６によって、前面側に開口を有し、右側面、左側面及び背面を囲まれた集積部が形成されている。集積部では、押出部材１０より前面側で、前面側ステージ２０及び背面側ステージ３０の上面に、搬送路から送り込まれた紙幣を受けて集積する。紙幣は、紙幣ステージ上に積層された状態で集積される。
【００７６】
図６に示すように、紙幣を集積する際には、背面部１０ｃ前面の押出面と集積部背面壁４６の前面とが略同一平面を成す集積位置まで、押出部材１０が後退している。すなわち、集積位置は、押出部材１０が、紙幣ステージに集積される紙幣の集積に邪魔にならない位置まで背面側へ退避した退避位置である。
【００７７】
集積部背面壁４６にも、図５に示す集積部右側壁４１の溝４１ａと連続する位置に、前後方向に長い溝４６ａが形成されており、押出部材１０が前後方向にスライド移動する際には、この移動をガイドすると共に、押出部材１０と集積部背面壁４６との間の隙間に紙幣が入り込むことを防止している。
【００７８】
図７は、紙幣が集積されるに連れて紙幣ステージが下方へ移動した集積部の状態を示す斜視図である。前面側ステージ２０は、図５に示す支持部２０ａが、支持部２０ａの貫通孔を上下方向に貫通するスライド軸４２に沿って移動することによって、図７に矢印で示したように下方へスライド移動する。支持部２０ａの移動は、図示しないモータ等の駆動装置によって制御されている。前面側ステージ２０は、紙幣ステージが羽根車に接触しない一番上の最上位位置と、押出部材左側壁部１０ｄの傾斜部によって移動を制限される一番下の最下位位置との間で、任意の位置に停止できるようになっている。
【００７９】
前面側ステージ２０が下方へ移動すると、これに伴って、前面側ステージ２０の下方に設けられた背面側ステージ３０が下方へ強制移動される。このとき、背面側ステージ３０が、背面側ステージ３０の左側面及び背面に形成されたガイド部３０ａ、３０ｂを、これらに対応して押出部材１０の内壁面に設けられたガイド溝１０ａ、１０ｂ内をスライドさせながら移動する。これにより、背面側ステージ３０は、上下方向に移動しない押出部材１０の前方で、押出部材１０から独立して下方へ移動することができる。
【００８０】
図８は、押出部材１０が紙幣ステージ上に集積された紙幣を前方へ押し出した押出位置にある集積部の状態を示す斜視図である。押出部材１０が、矢印で示したように、前方へスライド移動することによって、押出部材１０の背面部１０ｃ前面、すなわち押出面によって紙幣が押し出される。なお、図８では、押出面が、前面側ステージ２０の背面側縁部と接触するまで移動した位置を押出位置としているが、図３に示したように、押出位置は、紙幣サイズ等に応じて設定変更可能となっている。
【００８１】
押出部材１０が前方へ移動すると、押出部材１０によって押された背面側ステージ３０が前方へ強制移動される。このとき、背面側ステージ３０が、集積面に設けられたガイド孔３０ｃを、前面側ステージ２０裏面に設けられたボス２０ｂに対してスライドさせながら移動する。これにより、背面側ステージ３０は、前後方向の位置が固定されている前面側ステージ２０の下方で、前面側ステージ２０から独立して前方へ移動することができる。
【００８２】
図９は、背面側から見た押出部材１０及び集積部左側壁４０の斜視図である。押出部材１０の底面から突出するように形成された複数のリブに貫通孔１０ｈが形成されている。また、スライド軸４５が、各貫通孔１０ｈを貫通した状態で紙幣処理装置に固定されており、このスライド軸４５に沿って、押出部材１０を前後にスライド移動させるようになっている。押出部材１０の移動は、図示しないモータ等の駆動装置によって制御される。押出部材１０は、図６に示す集積位置（最後方位置）と、一番前に移動した図８に示す位置（最前方位置）との間で、前後方向の任意の位置に停止できるようになっている。
【００８３】
例えば、図９に示すように、押出部材１０の背面部１０ｃ裏側に、上下方向に細長い貫通孔１１ａを有するプレート１１を固定する。そして、図示しない長板形状のリンクプレートの一端を、図示しないモータの回転軸に固定すると共に、このリンクプレートの他端側に設けた軸を貫通孔１１ａに挿入して、貫通孔１１ａに挿入した軸を図９に破線で示したようにモータで回転させる。これにより、底面リブの貫通孔１０ｈとスライド軸４５とによって前後方向以外の移動を規制された押出部材１０を、前後方向にスライド移動させることができる。前面側ステージ２０の上下方向のスライド移動についても、同様に、リンクプレートを含む機構を利用してモータの回転移動を上下方向の移動に変換して行うことができる。
【００８４】
この場合、押出部材１０の停止位置、及び前面側ステージ２０の停止位置の制御は、押出部材１０や前面側ステージ２０の位置を検出するセンサを設けて、リンクプレートを回転させるモータの回転を制御することによって行う態様であってもよいし、ステッピングモータ等を利用してリンクプレートの回転角度を制御することによって行う態様であってもよい。ただし、押出部材１０及び前面側ステージ２０をスライド移動させる方法は特に限定されず、スライド移動させながら任意の位置で停止させることができれば、ラックとピニオン等を利用した構成であってもよい。
【００８５】
図１０は、図５〜図８に示す前面側ステージ２０及び背面側ステージ３０を上面側から見た斜視図である。また、図１１は、同じ前面側ステージ２０及び背面側ステージ３０を裏面側から見た斜視図である。前面側ステージ２０は、裏面側を背面側ステージ３０が移動するため、裏面が平面形状となっているのに対して、背面側ステージ３０の裏面にはリブを設けて強度を確保するようになっている。
【００８６】
背面側ステージ３０の左側面には３つのガイド部が設けられている。１つは背面側ステージ３０に回転可能に軸支されたローラ３０ｄによって構成され、残り２つのガイド部３０ａは紙幣集積面から外側へ略矩形に突出させて裏面側にリブを設けて構成されている。なお、背面側ステージ３０の背面側のガイド部３０ｂは、側面のガイド部３０ａと同様の構造を有している。
【００８７】
また、前面側ステージ２０の開口側には、紙幣ステージ上に集積された紙幣を上下から掴みやすいようにＵ字型の切り欠きが形成されている。背面側ステージ３０にも同様に開口側に切り欠きが形成され、背面側ステージ３０が一番前に移動した場合でも前面側ステージ２０の切り欠きを塞がないようになっている。
【００８８】
背面側ステージ３０には、切り欠き外側の左領域に、前後方向に細長く、上下方向に貫通したガイド孔３０ｃが形成されている。また、背面側ステージ３０の裏面には、切り欠き外側の右領域に、スライド軸４３を前後方向に貫通させる貫通孔３０ｅが形成されている。
【００８９】
図１１に示すように、前面側ステージ２０の裏面右側には、前後方向に離れた位置に軸受が形成され、この軸受にスライド軸４３が固定されている。このスライド軸４３は、背面側ステージ３０に形成された２つの貫通孔３０ｅを貫通した状態で固定されており、前面側ステージ２０に対する背面側ステージ３０のスライド移動をガイドしている。背面側ステージ３０の２つの貫通孔３０ｅを、前後方向に離れた位置に形成することにより、スライド軸４３によって、前面側ステージ２０に対して前後方向に傾かないように背面側ステージ３０を支持できるようになっている。
【００９０】
前面側ステージ２０の裏面左側には、背面側ステージ３０のガイド孔３０ｃを貫通するボス２０ｂが形成されている。図１１に示すように、ガイド孔３０ｃを貫通して裏面側に突出したボス２０ｂに、ガイド孔３０ｃの幅より大きい外径を有するワッシャが固定されている。これにより、前後方向の位置が固定された前面側ステージ２０に対して、背面側ステージ３０が前後方向にスライド移動可能であり、かつ、前面側ステージ２０を上下方向にスライド移動させたときに背面側ステージ３０が前面側ステージ２０と共に上下方向に強制移動されるようになっている。
【００９１】
紙幣ステージ及び押出部材１０の形状は、図５〜図１１に示した形状の一部を変更した形状とすることもできる。図１２は、押出部材及び紙幣ステージの形状が異なる集積部の例を示す正面図である。また、図１３は、図１２に示す集積部の紙幣ステージを上方から見た斜視図である。なお、図１２及び図１３では、図５〜図１１に示した構成部と同様の構成部については符号を省略している。また、図１３では、押出部材１１０の背面部１１０ｃの外形一部を破線で示すと共に、紙幣ステージの特徴を説明するための構成のみを示して他の構成は省略している。
【００９２】
図１２に示す例では、押出部材１１０背面部１１０ｃの右側面側の構造が、図５に示した押出部材１０と異なっている。具体的には、背面部１１０ｃの右側面が、紙幣処理装置に固定されている集積部右側壁１４１より集積部内側に入った位置にある。このため、背面部１１０ｃの右側面には、前後方向に長い断面三角形状の複数の突起１１０ｇが設けられているが、これに対応する前後方向に長い溝１４６ａは、集積部右側壁１４１ではなく、集積部背面壁１４６に設けられている。
【００９３】
図１３に示すように、前面側ステージ１２０の背面縁部右側に、後方へ突出した薄板形状の遮蔽部１２０ｄが形成されている。左側が傾斜面となっている遮蔽部１２０ｄは、背面側ステージ１３０の上面右端を前後方向に覆うようにして背面側ステージ１３０の後端まで達している。遮蔽部１２０ｄから前面側ステージ１２０の前端に至る領域では、集積部右側壁１４１との隙間が前面側ステージ１２０によって遮蔽され、背面側ステージ１３０が押出部材１１０と共に前後方向にスライド移動する間も、この遮蔽状態が維持されるようになっている。具体的には、押出部材１１０の背面部１１０ｃは、遮蔽部１２０ｄを避けて前方へ移動可能な形状となっており、押出部材１１０が、遮蔽部１２０ｄを避けながら背面側ステージ１３０を押して前方の押出位置へ移動して、紙幣を開口側へ押し出すようになっている。
【００９４】
図１３に示すように、背面側ステージ１３０の左側面に設けられた３つのガイド部１３０ａは、集積面から外側へ突出し、裏面にリブを設けた構造となっている。また、前面側ステージ１２０の右側面にはガイド部１２０ｃが形成され、これに対応して、集積部右側壁１４１に上下方向に長いガイド溝１４１ｃが形成されている。また、前面側ステージ１２０の前端から遮蔽部１２０ｄ後端までの間の略中央位置に、前面側ステージ１２０を支持する支持部１２０ａが設けられており、これに対応して、集積部右側壁１４１に上下方向に長い溝１４１ｂが形成されている。なお、図１３では、前面側ステージ１２０に１つのガイド部１２０ｃを設けた例を示しているが、遮蔽部１２０ｄ等を含む複数個所にガイド部を設ける態様であっても構わない。
【００９５】
本実施形態では、隙間への紙幣の進入を防止する突起を押出部材１０の側面に設けて、突起に対応する溝を紙幣処理装置に固定された壁面に設ける例を示したが、突起及び溝を、押出部材１０及び紙幣処理装置壁面のみに設ける態様に限定されず、前面側ステージ２０と背面側ステージ３０とが接する面、すなわち前面側ステージ２０の裏面と背面側ステージ３０の上面とに設ける態様であっても構わない。
【００９６】
また、紙幣ステージが、前面側ステージ２０及び背面側ステージ３０の２つのステージによって形成される例を示したが、紙幣ステージの構造がこれに限定されるものではない。例えば、前面側ステージ２０を前後方向に長くして、背面側ステージ３０を省略した構造としてもよい。また、例えば、前面側ステージ２０と複数の背面側ステージとによって紙幣ステージを形成する構造としてもよい。具体的には、例えば、背面側ステージ３０を２つに分割して、これらを、図１（ｂ）に示す前面側ステージ２０と背面側ステージ３０のように、ボスとガイド孔とによって接続した構造とする。
【００９７】
また、紙幣ステージの上下方向のスライド移動をモータ等の駆動装置によって制御する態様を示したが、紙幣ステージの上下方向のスライド移動がバネ部材等の弾性部材によって行われる態様であっても構わない。具体的には、例えば、紙幣ステージ上に紙幣が集積されていないときには、紙幣ステージの上下方向の位置が、集積開始時に紙幣ステージ上に紙幣を受け取る一番上の集積開始位置にあって、紙幣の集積を開始すると、紙幣ステージ上に集積された紙幣の集積枚数（重さ）に応じて紙幣ステージが徐々に下方へスライド移動し、集積部への紙幣の集積を終えて、この紙幣を前方へ押し出した後、この紙幣が抜き取られると、紙幣ステージが集積開始位置へ戻るように、前面側ステージ２０の支持部２０ａをバネ部材によって支持する。このような構造とすることで、多数枚の紙幣を集積できるように集積部の上下方向のサイズを大きくした場合でも、集積開始時には、常に、集積開始位置にある紙幣ステージ上に紙幣を受けることができる。また、集積枚数が増えるに連れて、紙幣の重さに応じて、紙幣ステージを徐々に下方へスライド移動させることができる。そして、集積部への紙幣の集積を終えたとき等、紙幣の押し出しが必要となった場合には、紙幣ステージの上下方向の位置によらず紙幣を押し出すことができる。
【００９８】
また、背面側ステージ３０のガイド部３０ａを押出部材１０のガイド溝１０ａ内に挿入した状態で押出部材１０を前後方向に移動させることにより、背面側ステージ３０を前後方向に強制移動する態様を示したが、背面側ステージ３０の移動がバネ部材等の弾性部材を利用して行われる態様であっても構わない。例えば、図１１に示す背面側ステージ３０の前面側の貫通孔３０ｅと、スライド軸４３を支持する前面側ステージ２０前端部の支持穴との間に、圧縮したコイル状のバネ部材を、スライド軸４３がコイル内を貫通する形で配置する。このバネ部材によって、背面側ステージ３０は、前後方向の位置が固定された前面側ステージ２０から、背面側の押出部材１０へ向けて付勢される。これにより、押出部材１０が前後方向に移動する際には、バネ部材によって付勢された背面側ステージ３０を、押出部材１０と共に移動させることができる。なお、このように、バネ部材によって背面側ステージ３０を押出部材１０側へ付勢する構造とする場合には、背面側ステージ３０のガイド部３０ａ及び押出部材１０のガイド溝１０ａを省略した構造としてもよい。
【００９９】
上述してきたように、本実施形態に係る紙幣処理装置によれば、集積部内部に設けられた紙幣ステージが、上下方向にスライド移動可能な前面側ステージ２０、１２０と、前後方向にスライド移動可能な押出部材１０、１１０と、前面側ステージ２０、１２０と共に上下方向にスライド移動しかつ押出部材１１０と共に前後方向にスライド移動する背面側ステージ３０、１３０とによって構成される。集積部内で紙幣が集積される前面側ステージ２０、１２０及び背面側ステージ３０、１３０を上下方向の任意の位置に移動させることが可能であり、かつ、上下方向の任意の位置で背面側ステージ３０、１３０及び押出部材１０、１１０を前方へ移動させることができる。これにより、集積される紙幣の枚数に応じて紙幣ステージを上下に移動させることが可能であり、紙幣ステージの上下方向の位置によらず、任意の位置で、押出部材１０、１１０によって紙幣を押し出すことができる。紙幣を押し出すために、紙幣ステージを所定位置へ移動させる必要がないので、紙幣の集積及び押し出しを短時間で効率よく行うことができる。
【０１００】
また、集積部に集積される紙幣の種類や状態に応じて、紙幣の押出量を変更したり、集積位置から押出位置へ移動して紙幣を押し出した押出部材１０を集積位置へ戻すタイミングを変更したりすることができる。例えば、紙幣のサイズ、材質、傷み具合、集積枚数等によって、集積された紙幣が崩れやすい場合には、紙幣が抜き取られるまで押出部材１０によって紙幣を支持することができるので、紙幣の抜き取りを容易かつ確実に行うことができる。
【産業上の利用可能性】
【０１０１】
以上のように、本発明に係る紙葉類処理装置は、多くの紙葉類を集積可能な集積部で、集積された紙葉類を効率よく開口側へ押し出すために有用である。
【符号の説明】
【０１０２】
１０、１１０  押出部材
２０、１２０  前面側ステージ
３０、１３０  背面側ステージ
４０、１４０  集積部左側壁
４１、１４１  集積部右側壁
４２、４３、４５  スライド軸
４６、１４６  集積部背面壁
【図１】
0006555991.tif 000002
【図２】
0006555991.tif 000003
【図３】
0006555991.tif 000004
【図４】
0006555991.tif 000005
【図５】
0006555991.tif 000006
【図６】
0006555991.tif 000007
【図７】
0006555991.tif 000008
【図８】
0006555991.tif 000009
【図９】
0006555991.tif 000010
【図１０】
0006555991.tif 000011
【図１１】
0006555991.tif 000012
【図１２】
0006555991.tif 000013
【図１３】
0006555991.tif 000014